(57)【要約】【課題】簡単な機構によりキャビネットの容積を大きくするときは、ダクト長が短くなり、一定のポイントでの強弱を容易に調整することができるスピーカキャビネットを提供する。【解決手段】前面のバッフル２ａから後方に同一断面形状の胴部２ｂが延び後方が解放された前側キャビネット２と後面板３ａから前方に同一断面形状の胴部３ｂが延び前方が解放された後側キャビネット３との夫々の胴部を重ねるように組み付けてなるスピーカキャビネットにおいて、前記夫々の胴部の間にスペーサ３ｃを介在させて胴部間の間隙によりダクト４を形成する。【選択図】        図１
2004336509.tif 000002
【特許請求の範囲】
【請求項１】
前面のバッフルから後方に同一断面形状の胴部が延び後方が解放された前側キャビネットと後面板から前方に同一断面形状の胴部が延び前方が解放された後側キャビネットとの夫々の胴部を重ねるように組み付けてなるスピーカキャビネットにおいて、前記夫々の胴部の間にスペーサを介在させて胴部間の間隙によりダクトが形成されることを特徴とするスピーカキャビネット。
【請求項２】
前記スペーサは内側に配置される胴部の外面に設けられた凸状または外側に配置される胴部の内面に設けられた凸状により形成される請求項１のスピーカキャビネット。
【請求項３】
前記前側キャビネットまたは後側キャビネットの一方の胴部に形成された凸状でほぞが形成され、前記ほぞが前記前側キャビネットまたは後側キャビネットの他方の胴部に形成された溝に嵌合する請求項２のスピーカキャビネット。
【請求項４】
前記後側キャビネットの胴部が前記前側キャビネットの胴部の内側に配置され、前記ダクトのポートがキャビネット後側に位置する請求項１から３のいずれかに記載したスピーカキャビネット。
【請求項５】
前記２つの胴部の重なる長さを可変とすることによりキャビネット内容積とダクト長を同時に可変させることを可能とした請求項１から４のいずれかに記載したスピーカキャビネット。
【発明の詳細な説明】
【０００１】
【発明の属する技術分野】
この発明はスピーカキャビネットに係わり、特に、前側キャビネットと後側キャビネットとの胴部の重なる部分でダクトが形成されるスピーカキャビネットに関する。
【０００２】
【従来の技術】
従来のバスレフ型のスピーカキャビネットの例を図５に示す。図に示すスピーカキャビネット１０の前面に位置するバッフル１０ａにはスピーカ５が取り付けられ、また、バッフル１０ａにダクト１１が固定されている。このスピーカキャビネットはダクト１１の長さやスピーカキャビネット１０の内容積は一定で可変となっていない。
【０００３】
特開平２００１−２６８６７６号公報に提案されたスピーカシステムの例を図６に示す。図に示すスピーカキャビネット１２は主ボックス１３と副ボックス１４とを組み付けて構成されている。主ボックス１３の一端側にはバッフル１５が形成されており、バッフル１５にはスピーカ５、５が取り付けられている。
【０００４】
１６は主ボックス１３内に配置された音響ボード、１７は主ボックス１３内の音を前方に放射させる主音響ダクト、１８は主ボックス１３から聴取空間に向けて音を放射させる音響グリルである。副ボックス１４は円筒状の箱体をなし、一端側が解放されていて、主ボックス１３と軸心を一致させて解放された一端側が主ボックス１３の一端側と互いに重ね合わされた状態で組み付けられている。
【０００５】
副音響ダクト１９は主ボックス１３の軸心と一致させてバッフル１５と音響ボード１６とに取り付けられ、副ボックス１４から主ボックス１３中に突き出ており、副ボックス１４から主ボックス１３に音を放射させるべく各ボックス間を貫通している。
【０００６】
副ボックス１４は主ボックス１３に対してその軸心を中心として回動可能にしかつ軸心方向に移動可能となっている。そして、その他端側には軸心と一致させてねじ棒２０が副音響ダクト１９に向けて突出した状態で取付けられている。また、主ボックス１３にはねじ受けカバー２１を介してねじ棒２０と螺合するねじ受け２２が取り付けられている。
【０００７】
主ボックス１３には容積調整目盛２３が書き込まれており、副ボックス１４の端縁が対向している目盛により軸方向に移動調整（容積調整）された位置が示される。副ボックス１４には主ボックス１３との重ね合わせ部分に摩擦部材２４が貼り付けられており、その摩擦力とねじ棒２０の螺合摩擦力とにより移動調整位置が保持される。
【０００８】
副音響ダクト１９中には、ねじ棒２０が延長されて形成されたダクト容積可変部材２５が挿入されており、ねじ棒２０の軸心方向の移動と共に副音響ダクト１９の有効容積を可変させる。なお、ねじ受けカバー２１には音抜き穴２６が設けられている。上記構成において、スピーカ５の前面部から放射された音は、図に白抜きの矢印で示すように主ボックス１３内で共鳴し、主音響ダクト１７を介して音響グリル１８から聴取空間に放射される。
【０００９】
スピーカ５の背面から放射された音は、実線の矢印で示すように副ボックス１４内で共鳴し、副音響ダクト１９を介して主ボックス１３の前方に放射される。
【００１０】
そして、主音響ダクト１７を通る白抜きの矢印で示す音と合成されて、この合成音が音響グリル１８から聴取空間に放射される。このように、副ボックス１４内の容積および副音響ダクト１９の有効容積が可変されることによりスピーカシステムの音響特性を調整することができる。
【００１１】
【特許文献１】
特開２００１−２６８６７６号公報（第２−３頁、図１〜図２）
【００１２】
【発明が解決しようとする課題】
上記した図５に示す従来のスピーカキャビネットは、好みの音響特性を得るように音響特性を変化させることができない。また、箱の大きさを変化させることができないので、省スペースで使用したいときに使い勝手が悪かった。
【００１３】
図６に示す従来のスピーカキャビネットは、ダクトが主ボックスおよび副ボックスと別部品で構成されており、また、副ボックスの容積を可変させるための機構が複雑でコスト高となるという問題があった。また、副ボックスの容積を大きくすると、ダクト長も長くなるので、一定のポイント（周波数）での強弱を調整することができなかった。
【００１４】
この発明は上記した点に鑑みてなされたものであって、その目的とするところは、簡単な機構によりキャビネットの容積を大きくするときは、ダクト長が短くなり、一定のポイントでの強弱を容易に調整することができるスピーカキャビネットを提供することにある。
【００１５】
【課題を解決するための手段】
この発明のスピーカキャビネットは、前面のバッフルから後方に同一断面形状の胴部が延び後方が解放された前側キャビネットと後面板から前方に同一断面形状の胴部が延び前方が解放された後側キャビネットとの夫々の胴部を重ねるように組み付けてなるスピーカキャビネットにおいて、前記夫々の胴部の間にスペーサを介在させて胴部間の間隙によりダクトが形成されるものである。
【００１６】
また、前記スピーカキャビネットにおいて、前記スペーサは内側に配置される胴部の外面に設けられた凸状または外側に配置される胴部の内面に設けられた凸状により形成されるものである。
【００１７】
また、前記スピーカキャビネットにおいて、前記前側キャビネットまたは後側キャビネットの一方の胴部に形成された凸状でほぞが形成され、前記ほぞが前記前側キャビネットまたは後側キャビネットの他方の胴部に形成された溝に嵌合するものである。
【００１８】
また、前記各スピーカキャビネットにおいて、前記後側キャビネットの胴部が前記前側キャビネットの胴部の内側に配置され、前記ダクトのポートがキャビネット後側に位置するものである。
【００１９】
また、前記各スピーカキャビネットにおいて、前記２つの胴部の重なる長さを可変とすることによりキャビネット内容積とダクト長を同時に可変させることを可能としたものである。
【００２０】
【発明の実施の形態】
この発明の実施例であるスピーカキャビネットを図面に基づいて説明する。図１（ａ）はこの発明の実施例であるスピーカキャビネットを示す正面図、図１（ｂ）は同スピーカキャビネットを示す背面図、図１（ｃ）は図１（ａ）におけるＣ−Ｃ断面図、図２（ａ）は同スピーカキャビネットを構成する前側キャビネットを示す正面図、図２（ｂ）は同前側キャビネットを示す背面図、図２（ｃ）は図２（ａ）におけるＣ−Ｃ断面図、図３（ａ）は同スピーカキャビネットを構成する後側キャビネットを示す正面図、図３（ｂ）は同後側キャビネットを示す背面図、図３（ｃ）は図３（ａ）におけるＣ−Ｃ断面図である。
【００２１】
図１に示すように、前側キャビネット２と後側キャビネット３が組み付けられてスピーカキャビネット１が構成される。前側キャビネット２の構造は図２に詳しく示されている。図２に示すように、前側キャビネット２はバッフル２ａの後方に後端が解放された角筒状の胴部２ｂが固着された構造となっている。
【００２２】
胴部２ｂの内面には長手方向に延びる溝２ｃ、２ｃ…が形成されている。そして、胴部２ｂのま表面から溝２ｃ、２ｃ…に貫通するねじ挿通穴２ｄ、２ｄ…が設けられている。さらに、バッフル２ａにはねじ穴２ｅ、２ｅ…が設けられており、このねじ穴に図１に示すスピーカ５が締着される。
【００２３】
図３に示すように、後側キャビネット３は後面板３ａから前方に向けて角筒状の胴部３ｂが延びる構造となっている。胴部３ｂの前方は解放されている。胴部３ｂの外面には長手方向に延びるほぞ３ｃ、３ｃ…が形成されている。ほぞ３ｃ、３ｃ…には図１に示すようにナット７、７…が埋め込まれている。また後面板３ａには把手３ｄが設けられている。
【００２４】
図１に示すように上記ほぞ３ｃ、３ｃ…を溝２ｃ、２ｃ…に嵌め込み、ねじ挿通穴２ｄ、２ｄ…を挿通するねじ６、６…をナット７、７…にねじこんで後側キャビネット３が前側キャビネット２に締着される。そして、後側キャビネット３と前側キャビネット２との隙間によりダクト４が形成される。
【００２５】
ねじ６、６…を緩めて把手３ｄにより後側キャビネット３の位置を調整してねじ６、６…を締め付けることによりスピーカキャビネット１の容積およびダクト長を調整することができる。
【００２６】
この発明のスピーカキャビネットはスピーカキャビネットの容積を大きくすると、ダクト長は短くなる。スピーカキャビネットの容積を大きして、ダクト長を短くすると、図４で示すように周波数・音圧特性は矢印方向に点線で示すようにに変化して低音を強調することができる。
【００２７】
実施例は以上のように構成されているが発明はこれに限られず、例えば、図に示していないが、前側キャビネットの外側に後側キャビネットが重なるようにしてダクトのポートを前面側としてもよい。
【００２８】
【発明の効果】
この発明のスピーカキャビネットによれば、設置場所により省スペースを必要とするときにスピーカキャビネットの占める体積を小さくすることができる。また、設置場所に余裕がある場合はキャビネットの容積を大きくして低音を強調し好みの音質を得ることが可能となる。
【００２９】
さらに、スピーカキャビネットを構成する部材でダクトが形成されるため、構造が簡単であり、製造コストを安くすることができる。
【図面の簡単な説明】
【図１】図１（ａ）はこの発明の実施例であるスピーカキャビネットを示す正面図、図１（ｂ）は同スピーカキャビネットを示す背面図、図１（ｃ）は図１（ａ）におけるＣ−Ｃ断面図である。
【図２】図２（ａ）は同スピーカキャビネットを構成する前側キャビネットを示す正面図、図２（ｂ）は同前側キャビネットを示す背面図、図２（ｃ）は図２（ａ）におけるＣ−Ｃ断面図である。
【図３】図３（ａ）は同スピーカキャビネットを構成する後側キャビネットを示す正面図、図３（ｂ）は同後側キャビネットを示す背面図、図３（ｃ）は図３（ａ）におけるＣ−Ｃ断面図である。
【図４】同スピーカキャビネットを用いたスピーカシステムの周波数・音圧特性を示すグラフである。
【図５】図５（ａ）は従来のスピーカキャビネットの例を示す正面図、図５（ｂ）は同スピーカキャビネットを示す斜視図である。
【図６】図６（ａ）は従来のスピーカキャビネットの他の例を示す正面図、図６（ｂ）は同スピーカキャビネットを示す斜視図である。
【符号の説明】
１  スピーカキャビネット
２  前側キャビネット、２ａ  バッフル、２ｂ  胴部、２ｃ  溝
２ｄ  ねじ挿通穴、２ｅ  ねじ穴
３  後側キャビネット、３ａ  後面板、３ｂ  胴部、３ｃ  ほぞ
３ｄ  把手
４  ダクト
５  スピーカ
６  ねじ
７  ナット
１０  スピーカキャビネット、１０ａ  バッフル
１１  ダクト
１２  スピーカキャビネット
１３  主ボックス
１４  副ボックス
１５  バッフル
１６  音響ボード
１７  主音響ダクト
１８  音響グリル
１９  副音響ダクト
２０  ねじ棒
２１  ねじ受けカバー
２２  ねじ受け
２３  容積調整目盛
２４  摩擦部材
２５  ダクト容積可変部材
２６  音抜き穴
【図１】
2004336509.tif 000003
【図２】
2004336509.tif 000004
【図３】
2004336509.tif 000005
【図４】
2004336509.tif 000006
【図５】
2004336509.tif 000007
【図６】
2004336509.tif 000008